(57)【要約】【課題】ユーザの使用状況に応じて、自動的にライン出力機能、またはＲＦ出力機能の一方を有効に設定することができ、且つ装置本体のコストアップを抑えたオーディオ装置を提供する。【解決手段】オーディオ装置１は、検知部１２がライン出力端子１６にケーブルが接続されていることを検知すると、デコーダ４に対して動作モードをラインモードにすることを指示する。一方、検知部１２がライン出力端子１６にケーブルが接続されていないことを検知すると、デコーダ４に対して動作モードをＲＦモードにすることを指示する。【選択図】図１
2007318658.tif 000002
【特許請求の範囲】
【請求項１】
入力されたディジタル音声信号を処理し、２チャンネルのアナログ音声信号を生成する音声信号処理手段と、
前記音声信号処理手段により生成された２チャンネルのアナログ音声信号を、それぞれチャンネル毎に設けられたライン出力端子から出力する第１の出力手段と、
前記音声信号処理手段により生成された２チャンネルのアナログ音声信号を合成した合成信号を生成する合成信号生成手段と、
前記合成信号生成手段により生成された合成信号をＲＦ出力端子から出力する第２の出力手段と、を備えたオーディオ装置において、
前記ライン出力端子におけるケーブルの接続有無を検知する接続検知手段と、
前記接続検知手段が前記ライン出力端子にケーブルが接続されていないことを検知しているとき、前記音声信号処理手段を、サラウンド信号が打ち消されていない前記合成信号が前記合成信号生成手段により生成されるＲＦモードで動作させ、反対に、前記接続検知手段が前記ライン出力端子にケーブルが接続されていることを検知しているとき、前記音声信号処理手段を、前記ライン出力端子から出力される前記アナログ音声信号がサラウンド互換信号になるラインモードで動作させる信号処理制御手段と、を備え、
前記合成信号生成手段は、前記音声信号処理手段により生成された２チャンネルのアナログ音声信号、および映像信号を合成した合成信号を生成する手段であり、
前記接続検知手段は、一方のチャンネルの前記ライン出力端子について、ケーブルが接続されているかどうかを検知する手段である、オーディオ装置。
【請求項２】
入力されたディジタル音声信号を処理し、２チャンネルのアナログ音声信号を生成する音声信号処理手段と、
前記音声信号処理手段により生成された２チャンネルのアナログ音声信号を、それぞれチャンネル毎に設けられたライン出力端子から出力する第１の出力手段と、
前記音声信号処理手段により生成された２チャンネルのアナログ音声信号を合成した合成信号を生成する合成信号生成手段と、
前記合成信号生成手段により生成された合成信号をＲＦ出力端子から出力する第２の出力手段と、を備えたオーディオ装置において、
前記ライン出力端子におけるケーブルの接続有無を検知する接続検知手段と、
前記接続検知手段が前記ライン出力端子にケーブルが接続されていないことを検知しているとき、前記音声信号処理手段を、サラウンド信号が打ち消されていない前記合成信号が前記合成信号生成手段により生成されるＲＦモードで動作させ、反対に、前記接続検知手段が前記ライン出力端子にケーブルが接続されていることを検知しているとき、前記音声信号処理手段を、前記ライン出力端子から出力される前記アナログ音声信号がサラウンド互換信号になるラインモードで動作させる信号処理制御手段と、を備えたオーディオ装置。
【請求項３】
前記合成信号生成手段は、前記音声信号処理手段により生成された２チャンネルのアナログ音声信号、および映像信号を合成した合成信号を生成する手段である、請求項２または３に記載のオーディオ装置。
【請求項４】
前記接続検知手段は、一方のチャンネルの前記ライン出力端子について、ケーブルが接続されているかどうかを検知する手段である、請求項２または３に記載のオーディオ装置。
【発明の詳細な説明】
【技術分野】
【０００１】
この発明は、入力されたディジタル音声信号を、サラウンド互換信号、またはダウンミックスしたＲＦ信号で出力するオーディオ装置に関する。
【背景技術】
【０００２】
従来、音声が５．１ｃｈ等のサラウンドチャンネルである、ディジタルコンテンツがあった。ディジタルコンテンツを処理するセットトップボックス（ＳＴＢ）やＤＶＤプレーヤ等の一般的なオーディオ装置には、ディジタルコンテンツのディジタル音声信号を、サラウンド互換信号で出力するライン出力機能と、ダウンミックスしたＲＦ信号で出力するＲＦ出力機能と、が設けられている。ライン出力機能は、音声信号を２ｃｈで出力する。左チャンネルのライン出力端子から出力する音声信号Ｌ’、および、右チャンネルのライン出力端子から出力する音声信号Ｒ’は、それぞれ、
Ｌ’＝Ｌ+0.707*Ｃ-0.707*Ｌｓ-0.707*Ｒｓ
Ｒ’＝Ｒ+0.707*Ｃ+0.707*Ｌｓ+0.707*Ｒｓ
とすることが規格により決められている。ここで、Ｌは左チャンネルの音声信号であり、Ｒは右チャンネルの音声信号であり、Ｃはセンタチャンネルの音声信号であり、Ｌｓは左チャンネルのサラウンド信号であり、Ｒｓは右チャンネルのサラウンド信号である。また、ＲＦ出力機能は、
Ｌ’＝Ｌ+ｃｌｅｖ*Ｃ+ｓｌｅｖ*Ｌｓ
Ｒ’＝Ｒ+ｃｌｅｖ*Ｃ+ｓｌｅｖ*Ｒｓ
をダウンミックスした（Ｌ’＋Ｒ’）を、ＲＦ信号で出力することが決められている。
【０００３】
上記の記載から明らかなように、ライン出力機能と、ＲＦ出力機能とでは、デコーダで生成する音声信号が異なっている。従来のオーディオ装置は、ライン出力機能およびＲＦ出力機能にかかる音声信号を生成するデコーダを個別に設けるのではなく、すなわちデコーダを２つ設けるのではなく、ユーザの切換操作に応じて、ディジタル音声信号を処理するデコーダの動作モードを切り換える構成を採用している。
【０００４】
また、入出力端子にケーブルが接続されているかどうかを検知する機能を設け、ケーブルが接続されたことを検知したときに、当該ケーブルが接続された入出力端子や、この入出力端子に入力されている信号等に応じて、本体の動作を切り替える装置が提案されている（特許文献１参照）。また、ディジタル入力端子にケーブルが接続されているかどうかを検知し、この検知結果に応じて本体の動作モードを切り替えるテレビ受像機が提案されている（特許文献２参照）。
【特許文献１】特開２００１−５７６５７号公報
【特許文献２】特開２００６−５０１７０号公報
【発明の開示】
【発明が解決しようとする課題】
【０００５】
しかしながら、従来の装置は、上述したように、ユーザの切換操作により、ディジタル音声信号を処理するデコーダの動作モードを切り換える構成であった。このため、ユーザがライン端子から出力されているサラウンド互換信号でディジタルコンテンツを視聴しているとき、装置本体がＲＦ出力機能を有効とする誤った設定にしていると、ライン出力端子からは適性なサラウンド互換信号が出力されない。また、反対に、ユーザがＲＦ端子から出力されているダウンミックスされた音声信号でディジタルコンテンツを視聴しているとき、装置本体がライン出力機能を有効とする誤った設定になっていると、ＲＦ端子からはサラウンド信号が打ち消された音声信号が出力される。したがって、ユーザは、ライン出力機能で使用するか、またはＲＦ出力機能で使用するかの設定を誤ると、ディジタルコンテンツを適性な音声で視聴できない。また、適性な音声で視聴できていないことに気づかないユーザも多い。また、適性な音声でディジタルコンテンツを視聴できていないことに気がついても、デコーダに対する設定を切り換える操作を行わなければならず、ユーザにとっての使い勝手が良くないという問題があった。
【０００６】
また、上述の特許文献１、２等で提案されている構成は、特定の入出力端子についてケーブルが接続されているかどうかを判断し、本体の動作モードを制御する構成であった。一方、ディジタルコンテンツを処理する装置では、サラウンド互換信号を出力するライン出力端子と、ダウンミックス信号を出力するＲＦ出力端子とが、別々に設けられている。このため、特許文献１、２で提案されている構成を採用すると、出力端子毎にケーブルの接続状況を検知する構成を設けなければならず、装置本体のコストアップをまねくという問題がある。
【０００７】
この発明の目的は、ユーザの使用状況に応じて、自動的にライン出力機能、またはＲＦ出力機能の一方を有効に設定することができ、且つ装置本体のコストアップを抑えたオーディオ装置を提供することにある。
【課題を解決するための手段】
【０００８】
この発明のオーディオ装置は、上記課題を解決するために、以下の構成を備えている。
【０００９】
入力されたディジタル音声信号を処理し、２チャンネルのアナログ音声信号を生成する音声信号処理手段と、
前記音声信号処理手段により生成された２チャンネルのアナログ音声信号を、それぞれチャンネル毎に設けられたライン出力端子から出力する第１の出力手段と、
前記音声信号処理手段により生成された２チャンネルのアナログ音声信号を合成した合成信号を生成する合成信号生成手段と、
前記合成信号生成手段により生成された合成信号をＲＦ出力端子から出力する第２の出力手段と、を備えたオーディオ装置において、
前記ライン出力端子におけるケーブルの接続有無を検知する接続検知手段と、
前記接続検知手段が前記ライン出力端子にケーブルが接続されていないことを検知しているとき、前記音声信号処理手段を、サラウンド信号が打ち消されていない前記合成信号が前記合成信号生成手段により生成されるＲＦモードで動作させ、反対に、前記接続検知手段が前記ライン出力端子にケーブルが接続されていることを検知しているとき、前記音声信号処理手段を、前記ライン出力端子から出力される前記アナログ音声信号がサラウンド互換信号になるラインモードで動作させる信号処理制御手段と、を備えている。
【００１０】
この構成では、接続検知手段が、ライン出力端子にケーブルが接続されているかどうかを検知する。また、信号処理制御手段が、接続検知手段における検知結果に基づいて、音声信号処理手段の動作モードを制御する。サラウンドスピーカシステム等を所有し、ライン出力端子から出力されるサラウンド互換信号でディジタルコンテンツを視聴するユーザは、ケーブルをライン出力端子に接続している。また、サラウンドスピーカシステム等を所有しておらず、ＲＦ出力端子から出力されるダウンミックスされた音声信号でディジタルコンテンツを視聴するユーザは、ケーブルをＲＦ出力端子に接続している。さらに、ケーブルをライン出力端子、およびＲＦ出力端子の両方に接続しているユーザもいるが、このようなユーザの多くは、ディジタルコンテンツを視聴する場合、サラウンドスピーカシステム等を利用する。したがって、ライン出力端子にケーブルが接続されていれば、サラウンドスピーカシステム等を利用するユーザであると推定でき、反対にライン出力端子にケーブルが接続されていなければ、サラウンドスピーカシステム等を利用しないユーザであると推定できる。言い換えれば、ケーブルがＲＦ出力端子に接続されているかどうかにかかわらず、ケーブルがライン出力端子に接続されているかどうかで、ライン出力端子から出力されるサラウンド互換信号でディジタルコンテンツを視聴するユーザであるか、ＲＦ出力端子から出力されるダウンミックスされた音声信号でディジタルコンテンツを視聴するユーザであるか、を精度良く推定することができる。
【００１１】
したがって、音声信号処理手段を、ケーブルがライン出力端子に接続されていればラインモードで動作させ、ケーブルがライン出力端子に接続されていなければＲＦモードで動作させることにより、音声信号処理手段の動作モードを切り換えるという面倒な操作をユーザに行わせることなく、自動的に、ユーザの使用状況に応じた動作モードで音声信号処理手段を動作させることができ、ユーザにおける使い勝手の向上が図れる。また、ライン出力端子についてのみケーブルの接続有無を検知すればよいので、すなわちＲＦ出力端子についてはケーブルの接続有無を検知するための構成を必要としないことから、装置本体のコストアップが抑えられる。
【００１２】
また、ライン出力端子における、一方のチャンネルのライン出力端子にケーブルを接続し、他方のチャンネルのライン出力端子にケーブルを接続しない状態で本体が使用されることは、殆どありえない状況であるので、前記検知手段を、ライン出力端子の一方のチャンネルのライン出力端子についてのみ、ケーブルの接続有無を検知する構成としてもよい。このようにすれば、装置本体のコストアップが一層抑えられる。
【００１３】
さらに、映像信号を、ＲＦ出力端子から出力されるＲＦ信号に含ませることで、このＲＦ信号を入力したテレビ等で、ディジタルコンテンツを視聴することができる。
【発明の効果】
【００１４】
この発明によれば、ユーザの使用状況を精度良く推定でき、この推定結果に応じて音声信号処理手段の動作モードを自動的に切り換えるので、利用者の使い勝手の向上が図れる。また、装置本体のコストアップも抑えられる。
【発明を実施するための最良の形態】
【００１５】
以下、この発明の実施形態であるオーディオ装置について説明する。
【００１６】
図１は、この発明の実施形態であるオーディオ装置の構成を示す図である。オーディオ装置１は、本体の動作を制御する制御部２と、入力されたディジタルコンテンツにかかるＡＶデータをディジタル映像信号、およびディジタル音声信号に分離して出力する入力処理部３と、を備えている。また、オーディオ装置１は、入力処理部３で分離されたディジタル音声信号を処理するデコーダ４、デコーダ４で処理されたディジタル音声信号をアナログ音声信号に変換するＤＡＣ５と、このＤＡＣ５から出力されたアナログ音声信号を増幅するアンプ６、７と、を備えている。また、オーディオ装置１は、入力処理部３で分離されたディジタル映像信号を処理し、アナログ映像信号を出力する映像処理部８を備えている。また、オーディオ装置１は、アンプ６、７の出力（アナログ音声信号）および映像処理部８の出力（アナログ映像信号）を合成して出力する信号合成部９と、信号合成部９で合成された信号を増幅するＡＭＰ１０と、アンプ１０の出力をＲＦ信号に変換するＲＦコンバータ１１と、を備えている。ＡＭＰ６の出力はライン出力端子１５に接続されており、ＡＭＰ７の出力はライン出力端子１６に接続されている。映像処理部８の出力は、ライン出力端子１７に接続されている。さらに、ＲＦコンバータ１１の出力は、ＲＦ出力端子１８に接続されている。さらに、オーディオ装置１は、ライン出力端子１６にケーブルが接続されているかどうかを検知する接続検知部１２を備えている。デコーダ４、およびＤＡＣ５が、この発明で言う音声信号処理手段に相当する。アンプ６、７が、この発明で言う出力手段に相当する。信号合成部９が、この発明で言う合成信号生成手段に相当する。アンプ１０、およびＲＦコンバータ１１が、この発明で言う第２の出力手段に相当する。検知部１２が、この発明で言う検知手段に相当する。制御部２が、この発明で言う信号処理制御手段を有している。
【００１７】
この実施形態にかかるオーディオ装置１は、セットトップボックス（ＳＴＢ）や、ＤＶＤプレイヤ等のディジタルコンテンツを処理する装置に適用される。セットトップボックスに適用した場合、入力処理部３は、ディジタル放送を受信するチューナ、チューナで受信しているディジタルコンテンツのストリームを処理し、映像データにかかるパケットと、音声データにかかるパケットとに分離して出力する構成になる。また、ＤＶＤプレイヤに適用した場合、入力処理部３は、ＤＶＤに記録されているデータの読取信号を処理し、映像データと、音声データとに分離して出力する構成になる。この場合、ピックアップヘッド等を有し、ＤＶＤから記録されているデータを読み取った読取信号を出力する構成が入力処理部３に接続される。
【００１８】
入力処理部３から出力されたディジタル音声信号は、デコーダ４に入力される。デコーダは、入力されたディジタル音声信号を、指示されている動作モードに応じて処理する。具体的には、ラインモードが指示されているときには、ライン出力端子１５、１６からサラウンド互換信号を出力するための信号処理を行い、ＲＦモードが指示されているときには、ＲＦ出力端子１８からサラウンド信号が打ち消されていないＲＦ信号を出力するための信号処理を行う。ＤＡＣ５は、デコーダ４で処理されたディジタル音声信号を、２チャンネルのアナログ音声信号に変換し、出力する。ＤＡＣ５から出力された左チャンネルのアナログ音声信号は、アンプ６で増幅され、ライン出力端子１５から外部に出力される。また、ＤＡＣ５から出力された右チャンネルのアナログ音声信号は、アンプ７で増幅され、ライン出力端子１６から外部に出力される。
【００１９】
デコーダ６がラインモードである場合、ライン出力端子１５から外部に出力されるアナログ音声信号Ｌ’、およびライン出力端子１６から外部に出力されるアナログ音声信号Ｒ’は、それぞれ、
Ｌ’＝（Ｌ+0.707*Ｃ-0.707*Ｌｓ-0.707*Ｒｓ）*Ｚ１
Ｒ’＝（Ｒ+0.707*Ｃ+0.707*Ｌｓ+0.707*Ｒｓ）*Ｚ２
である。ここで、Ｌは左チャンネルの音声信号であり、Ｒは右チャンネルの音声信号であり、Ｃはセンタチャンネルの音声信号であり、Ｌｓは左のサラウンドチャンネルであり、Ｒｓは右のサラウンドチャンネルであり、Ｚ１はアンプ６の増幅率であり、Ｚ２はアンプ７の増幅率である。また、デコーダ６がＲＦモードである場合、ライン出力端子１５から外部に出力されるアナログ音声信号Ｌ’、およびライン出力端子１６から外部に出力されるアナログ音声信号Ｒ’は、それぞれ、
Ｌ’＝（Ｌ+ｃｌｅｖ*Ｃ+ｓｌｅｖ*Ｌｓ）*Ｚ１
Ｒ’＝（Ｒ+ｃｌｅｖ*Ｃ+ｓｌｅｖ*Ｒｓ）*Ｚ２
である。アンプ６の増幅率Ｚ１と、アンプ７の増幅率Ｚ２とは、通常、同じ値に設定することから、以下の説明では、Ｚ１＝Ｚ２として説明する。
【００２０】
映像処理部８から出力されたアナログ映像信号は、ライン出力端子１７から出力される。ライン出力端子１５、１６、１７は、それぞれＲＣＡコネクタのピンジャックである。また、信号合成部９には、アンプ６、７の出力、および映像処理部８の出力が入力される。信号合成部９は、アンプ６、７の出力であるアナログ音声信号をダウンミックスするとともに、このダウンミックスしたアナログ音声信号と、映像処理部８の出力である映像信号とを合成した合成信号を生成し出力する。アンプ１０が、この合成信号を増幅し、ＲＦコンバータ１１がアンプ１０で増幅された合成信号をＲＦ信号に変換する。ＲＦコンバータ１１で変換されたＲＦ信号は、ＲＦ出力端子１８から出力される。
【００２１】
デコーダ６がラインモードである場合、ＲＦ出力端子１８から外部に出力される、ダウンミックスされたアナログ音声信号Ａは、
Ａ＝Ｌ+Ｒ+2*0.707*Ｃ
となり、サラウンド信号が打ち消されている。一方、デコーダ６がＲＦモードである場合、ＲＦ出力端子１８から外部に出力される、ダウンミックスされたアナログ音声信号Ａは、
Ａ＝Ｌ+Ｒ+2*ｃｌｅｖ*Ｃ+ｓｌｅｖ*Ｌｓ+ｓｌｅｖ*Ｒｓ
となり、サラウンド信号が打ち消されていない。
【００２２】
さらに、検知部１２は、ライン出力端子１６におけるケーブルの接続有無を検出する。検知部１２は、ライン出力端子１６におけるインピーダンスの変化を検出することにより、このライン出力端子１６におけるケーブルの接続有無を検知する構成であってもよいし、ライン出力端１６に接続されたピンプラグによって押圧されたときにオンするスイッチを設け、このスイッチのオン／オフ状態に基づいて、ライン出力端子１６におけるケーブルの接続有無を検知する構成であってもよい。制御部２は、検知部１２による、ライン出力端子１６におけるケーブルの接続有無の検知結果に基づいて、デコーダ４の動作モード（ラインモード、またはＲＦモード）を制御する。具体的には、制御部は、検知部１２により、ライン出力端子１６にケーブルが接続されていないことが検知された場合に、デコーダ４に対してＲＦモードでの動作を指示し、反対に検知部１２により、ライン出力端子１６にケーブルが接続されていることが検知された場合に、デコーダ４に対してラインモードでの動作を指示する。デコーダ４は、この制御部２からの指示にしたがって、動作モードを切り換える。
【００２３】
なお、ここでは、検知部１２は、ライン出力端子１６についてケーブルの接続有無を検知する構成としたが、ライン出力端子１５、またはライン出力端子１７についてケーブルの接続を検知する構成としてもよい。言い換えれば、検知部１２は、ライン出力端子１５、１６、１７のいずれか１つについて、ケーブルの接続を検知する構成であればよい。
【００２４】
次に、この実施形態にかかるオーディオ装置１の動作について説明する。この実施形態のオーディオ装置１は、ユーザが視聴するディジタルコンテンツにかかるディジタルデータが入力処理部３に入力される。入力処理部３は、入力されているディジタルデータを処理し、このディジタルデータをオーディオ、および映像に分離して出力する。入力処理部３で分離されたオーディオデータは、デコーダ４で処理され、ＤＡＣ５で２チャンネルのアナログ音声信号に変換される。デコーダ４は、制御部２から指示されているラインモード、またはＲＦモードで動作する。制御部２は、検知部１２における検知結果に基づいて、デコーダ４の動作モードを決定する。ＤＡＣ５から出力された２チャンネルのアナログ音声信号は、それぞれアンプ６、７で増幅され、ライン出力端子１５、１６から出力される。また、入力処理部で分離された映像にかかるデータは、映像処理部８でデコードされるとともに、アナログ映像信号に変換されて、ライン出力端子１７から出力される。
【００２５】
また、アンプ６、７から出力されたアナログ音声信号および映像処理部８から出力されたアナログ映像信号は、信号合成部９で合成される。信号合成部９では、アンプ６、７から出力されたアナログ音声信号をダウンミックスする。信号合成部９で合成された合成信号は、アンプ１０で増幅され、ＲＦコンバータ１１でＲＦ信号に変換され、ＲＦ出力端子１８から出力される。
【００２６】
オーディオ装置１は、デコーダ４の動作モードがラインモード、またはＲＦモードのどちらであるかにかかわらず、ライン出力端子１５、１６、１７、およびＲＦ出力端子１８から信号を出力する。ただし、ライン出力端子１５、１６および、ＲＦ出力端子から出力されるアナログ音声信号については、デコーダ４の動作モードにより変化する。オーディオ装置１は、ライン出力端子１５、１６から出力されているアナログ音声信号、およびライン出力端子１７から出力されているアナログ映像信号で、ディジタルコンテンツを視聴する場合には、デコーダ４をラインモードで動作させ、反対にＲＦ出力端子１８から出力されているＲＦ信号で、ディジタルコンテンツを視聴する場合には、デコーダ４をＲＦモードで動作させることで、適正な音声でディジタルコンテンツを視聴することができる。
【００２７】
ここで、制御部２が、デコーダ４の動作モードを決定するモード決定処理について説明する。図２は、この実施形態にかかるオーディオ装置１におけるモード決定処理を示すフローチャートである。オーディオ装置１は、このモード決定処理を装置本体の電源がオンされたときに開始し、オフされたときに終了する。オーディオ装置１の制御部２は、検知部１２によりライン出力端子１６にケーブルが接続されていることが検知されていると、デコーダに対してラインモードでの動作を指示する（Ｓ１、Ｓ２）。反対に、検知部１２によりライン出力端子１６にケーブルが接続されていないことが検知されていると、デコーダに対してＲＦモードでの動作を指示する（Ｓ１、Ｓ３）。
【００２８】
オーディオ装置１の制御部２は、Ｓ２でデコーダ４に対してラインモードでの動作を指示すると、一定時間経過する毎に、検知部１２によりライン出力端子１６にケーブルが接続されていることが検知されているかどうかを判定する（Ｓ４、Ｓ５）。この一定時間は、例えば数分程度の時間とすればよい。制御部２は、検知部１２によりライン出力端子１６にケーブルが接続されていることが検知されていればＳ４に戻り、検知部１２によりライン出力端子１６にケーブルが接続されていないことが検知されていれば以下に示すＳ３にジャンプする。
【００２９】
オーディオ装置１の制御部２は、Ｓ３でデコーダ４に対してＲＦモードでの動作を指示すると、一定時間経過する毎に、検知部１２によりライン出力端子１６にケーブルが接続されていないことが検知されているかどうかを判定する（Ｓ６、Ｓ７）。この一定時間も、Ｓ４と同じ時間に設定すればよい。制御部２は、検知部１２によりライン出力端子１６にケーブルが接続されていないことが検知されていればＳ６に戻り、検知部１２によりライン出力端子１６にケーブルが接続されていることが検知されていればＳ２にジャンプする。
【００３０】
ここで、サラウンドスピーカシステム等を所有し、ライン出力端子１５、１６から出力されるサラウンド互換信号でディジタルコンテンツを視聴するユーザは、ケーブルをライン出力端子１５、１６、１７に接続している。また、サラウンドスピーカシステム等を所有しておらず、ＲＦ出力端子１８から出力されるダウンミックスされた音声信号でディジタルコンテンツを視聴するユーザは、ケーブルをＲＦ出力端子１８に接続している。さらに、ケーブルをライン出力端子１５、１６、１７およびＲＦ出力端子１８の両方に接続しているユーザもいるが、このようなユーザの多くは、ディジタルコンテンツを視聴する場合、サラウンドスピーカシステム等を利用する。したがって、ライン出力端子１５、１６、１７にケーブルが接続されていれば、サラウンドスピーカシステム等を利用するユーザであると推定しても問題はない。反対にライン出力端子１５、１６、１７にケーブルが接続されていなければ、サラウンドスピーカシステム等を利用しないユーザであると推定しても問題はない。言い換えれば、ケーブルがＲＦ出力端子１８に接続されているかどうかにかかわらず、ケーブルがライン出力端子１５、１６、１７に接続されているかどうかで、ライン出力端子１５、１６、１７から出力されるサラウンド互換信号でディジタルコンテンツを視聴するユーザであるか、ＲＦ出力端子１８から出力されるダウンミックスされた音声信号でディジタルコンテンツを視聴するユーザであるか、の推定が精度良く行える。
【００３１】
また、ライン出力端子１５、１６の一方にケーブルを接続し、他方にケーブルを接続しない状態で本体が使用されることは、殆どありえない状況である。したがって、ライン出力端子１６についてのみ、検知されたケーブルの接続有無にかかる検知結果に基づいて、ライン出力端子１５、１６、１７から出力されるサラウンド互換信号でディジタルコンテンツを視聴するユーザであるか、ＲＦ出力端子１８から出力されるダウンミックスされた音声信号でディジタルコンテンツを視聴するユーザであるか、の推定が精度良く行える。
【００３２】
上述したように、この実施形態のオーディオ装置１は、ライン出力端子１６にケーブルが接続されていればデコーダ４をラインモードで動作させ、ライン出力端子１６にケーブルが接続されていなければデコーダ４をＲＦモードで動作させる。したがって、この実施形態のオーディオ装置１は、ユーザの使用状況に応じて、デコーダ４の動作モードを自動的に切り換えることができる。また、この実施形態にかかるオーディオ装置１は、電源がオンされている間、ライン出力端子１６にケーブルが接続されているかどうかを、一定時間毎に判断し、その判断結果に基づいてデコーダ４の動作モードを決定する。したがって、ユーザが電源をオンしている状態で、ライン出力端子１６に対するケーブルの接続、または切断を行っても、その状況の変化に応じて、本体の動作モードを自動的に切り換えることができる。
【００３３】
これにより、ユーザが、デコーダ４の動作モードを切り換える面倒な操作を行う必要がなく、ユーザにおける使い勝手の向上が図れる。また、ライン出力端子１５、１６、１７のいずれかについてのみ、ケーブルの接続有無を検知するだけでよいので、本体のコストアップも十分に抑えられる。
【図面の簡単な説明】
【００３４】
【図１】この発明の実施形態であるオーディオ装置の構成を示す図である。
【図２】この実施形態にかかるオーディオ装置１におけるモード決定処理を示すフローチャートである。
【符号の説明】
【００３５】
１−オーディオ装置
２−制御部
４−デコーダ
５−ＤＡＣ
９−信号合成部
１１−ＲＦコンバータ
１５、１６−ライン出力端子
１８−ＲＦ出力端子
【図１】
2007318658.tif 000003
【図２】
2007318658.tif 000004